(57)【要約】      （修正有）【課題】遠近両用メガネのテスト用にも使用できる検眼レンズを提供する。【解決手段】円形の輪郭を有し、周縁の一箇所に直径方向外側を向いた小突起が一体的に形成されたレンズと、前記レンズの外周縁を覆うリング状のリム線の両端を対向状態でほぼ直角に屈曲立ち上がらせて一対の立上り片とし、前記レンズの小突起を一対の立上り片で挟む様にして、レンズの外周縁を覆う枠体と、板状をなしたツマミ板の下端に、前記立上り片及び係止部の幅より肉厚な結合ブロックが一体的に取付けられており、該結合ブロックの下端から上方に向かって前記立上り片を挿入できる縦孔が形成されていると共に、その側面からは前記縦孔と交叉する貫通横孔が形成されており、縦孔に挿入された立上り片の透孔に、この貫通横孔からピンあるいはネジ棒を差し込むことにより、レンズ周縁を覆った枠体に取付けられる様にしたツマミ板とから枠付き検眼レンズを構成した。【選択図】図３
0003163543.tif 000002
【実用新案登録請求の範囲】
【請求項１】
円形の輪郭を有し、周縁の一箇所に直径方向外側を向いた小突起が一体的に形成されたレンズと；
前記レンズの外周縁を覆うリング状のリム線の両端を対向状態でほぼ直角に屈曲立ち上がらせて一対の立上り片とし、これら立上り片の中程に横方向を向いた透孔が設けられており、前記レンズの小突起を一対の立上り片で挟む様にして、レンズの外周縁を覆う枠体と；
板状をなしたツマミ板の下端に、前記立上り片の幅より肉厚な結合ブロックが一体的に取付けられており、該結合ブロックの下端から上方に向かって前記立上り片を挿入できる縦孔が形成されていると共にその側面からは前記縦孔と交叉する貫通横孔が形成されており、縦孔に挿入された立上り片の透孔に、この貫通横孔からピンあるいはネジ棒を差し込むことにより、レンズ周縁を覆った枠体に取付けられる様にしたツマミ板；
とからなることを特徴とする枠付き検眼レンズ。
【請求項２】
円形の輪郭を有し、周縁の一箇所に直径方向外側を向いた小突起が一体的に形成されたレンズと；
前記レンズの外周縁を覆うリング状のリム線の両端を対向状態でほぼ直角に屈曲立ち上がらせて一対の立上り片とし、これら立ち上り片の上端をそれぞれ外側方向に向かって直角に屈曲させて係止部とし、前記レンズの小突起を一対の立上り片で挟む様にして、レンズの外周縁を覆う枠体と；
板状をなしたツマミ板の下端に、前記立上り片及び係止部の幅より肉厚な係合ブロックが一体的に取付けられており、該結合ブロックの下端から上方に向かって前記立上り片を及び係止部を挿入できる縦孔が形成されていると共に、該縦孔の内壁面に前記係止部を挿入する横孔が設けられており、該横孔に係止部を挿入係止させることにより、レンズ周縁を覆った枠体に取付けられる様にしたツマミ板；
とからなることを特徴とする枠付き検眼レンズ。
【考案の詳細な説明】
【技術分野】
【０００１】
この考案は、視力矯正用メガネを調整の際に用いる枠付き検眼レンズ、詳しくは、組立てが容易で、低コストで生産出来る枠付き検眼レンズに関するものである。
【背景技術】
【０００２】
枠付き検眼レンズは、遠視用や近視用などの視力矯正用メガネを調整する際になくてはならないものであり、従来においては、図１に示す様に、円形をなしたレンズ２０の周縁に嵌め込まれたリム線２１の両端部に対向する様に、直角の金属製のネジ受け片２２をロー付けし、このネジ受け片２２の一方の上部に設けられたスリット２３につまみ板２４の下端をはさみ込んでロー付け固定したものが主に用いられていた。
【先行技術文献】
【特許文献】
【０００３】
実用新案登録第３０２２５１５号公報
【特許文献１】なし
【非特許文献】
【０００４】
【非特許文献１】なし
【考案の概要】
【考案が解決しようとする課題】
【０００５】
しかしながら、上記従来の枠付き検眼レンズでは、少なくとも２箇所のロー付け作業を必要とする為、製造が面倒で、熟練を要し、製造コストも高くならざるを得なかった。視力矯正用メガネの調整には、枠付き検眼レンズを多数用意しておかなければならず、枠付き検眼レンズの製造コストの高さは、一般消費者の購入する視力矯正用メガネの価格にも当然はね返り、その小売り単価の上昇の一因にもなっていた。
【０００６】
そこで、本願考案者は、実用新案登録第３０２２５１５号として、組み立てが容易で、低コストで供給できる検眼用レンズ枠を提案した。この検眼用レンズ枠はロー付け作業が不要で、組立ても特に熟練を要しないので、従来のものより安価で製造出来るすぐれた特徴を有しているが、レンズ本体と枠体との位置関係に厳密さが要求される漸減レンズ等には使用出来ないと言う問題点があった。つまり、一つのレンズ中に遠視対応領域と近視対応領域とが併存する漸減レンズの場合、レンズの枠内のおける円周方向位置が正しく設定されていなければならず、レンズが枠内において空回りして、適正位置からずれて、円周方向に不用意に回転してしまった場合、正しい矯正値を得ることが出来ず、最適な矯正用レンズを得られなくなってしまうからである。
【０００７】
本考案者は、視力矯正用メガネを調整する際に用いる枠付き検眼レンズに関
する上記問題点を解決すべく研究を行った結果、先に提案した実用新案登録第３０２２５１５号の持つ低コストと言うすぐれた長所を生かしつつ、漸減レンズなどのレンズ本体と枠体との位置関係に厳密さが要求される特殊なレンズにも適用可能な枠付き検眼レンズを開発することに成功し、本発明として、ここに提案するものである。
【課題を解決するための手段】
【０００８】
円形の輪郭を有し、周縁の一箇所に直径方向外側を向いた小突起が一体的に形成されたレンズと；
前記レンズの外周縁を覆うリング状のリム線の両端を対向状態でほぼ直角に屈曲立ち上がらせて一対の立上り片とし、これら立上り片の中程に横方向を向いた透孔が設けられており、前記レンズの小突起を一対の立上り片で挟む様にして、レンズの外周縁を覆う枠体と；
板状をなしたツマミ板の下端に、前記立上り片の幅より肉厚な結合ブロックが一体的に取付けられており、該結合ブロックの下端から上方に向かって前記立上り片を挿入できる縦孔が形成されていると共にその側面からは前記縦孔と交叉する貫通横孔が形成されており、縦孔に挿入された立上り片の透孔に、この貫通横孔からピンあるいはネジ棒を差し込むことにより、レンズ周縁を覆った枠体に取付けられる様にしたツマミ板；
とから枠付き検眼レンズ構成することにより上記課題を解決した。
【０００９】
又、円形の輪郭を有し、周縁の一箇所に直径方向外側を向いた小突起が一体的に形成されたレンズと；
前記レンズの外周縁を覆うリング状のリム線の両端を対向状態でほぼ直角に屈曲立ち上がらせて一対の立上り片とし、これら立ち上り片の上端をそれぞれ外側方向に向かって直角に屈曲させて係止部とし、前記レンズの小突起を一対の立上り片で挟む様にして、レンズの外周縁を覆う枠体と；
板状をなしたツマミ板の下端に、前記立上り片及び係止部の幅より肉厚な結合ブロックが一体的に取付けられており、該結合ブロックの下端から上方に向かって前記立上り片を及び係止部を挿入できる縦孔が形成されていると共に、該縦孔の内壁面に前記係止部を挿入する横孔が設けられており、該横孔に係止部を挿入係止させることにより、レンズ周縁を覆った枠体に取付けられる様にしたツマミ板；
とから枠付き検眼レンズ構成することによって上記課題を解決した。
【考案の効果】
【００１０】
従来の枠付き検眼レンズの様に、ロー付け作業を全く必要としないので、製造が極めて容易で、低コストで枠付き検眼レンズを製造することが出来る。又、レンズの周縁に形成されている小突起が枠体内でのレンズの回転を防ぐので、枠体内でのレンズの相対位置の正確な保持が要求される遠近両用メガネ用のテストレンズにおいても何ら問題なく用いることが出来、広い応用範囲を有する。
【図面の簡単な説明】
【００１１】
【図１】従来の枠付き検眼レンズの代表例の要部の拡大傾斜図。
【図２】この考案に係る枠付き検眼レンズの実施例１の一部を切欠いて描いた拡大正面図。
【図３】同じく、その組立て状況を説明する為の要部の拡大斜視図。
【図４】この考案に係る枠付き検眼レンズの実施例２の組立て状況を説明する為の要部の拡大斜視図。
【考案を実施するための形態】
【００１２】
レンズの外枠に小突起を設けると共に、枠体を構成するリム線の両端に立上り片を設け、この立上り片をツマミ板の係合ブロックに挿入固定する様にした点に最大の特徴が存する。
【実施例】
【００１３】
図２はこの考案に係る枠付き検眼レンズの実施例１の一部を切欠いて描いた拡大正面図、図３はその組立て状況を説明する為の要部の拡大斜視図である。
【００１４】
図中１はレンズであり、円形の平面形状をなしており、その周縁の一箇所には直径方向外側を向いた小突起２が一体的に形成されている。
【００１５】
又、３はレンズ１の外周縁を覆い、枠体１１を構成するリング状のリム線であり、このリム線３の両端部は、対向状態でほぼ直角に屈曲立ち上って、立上り片４となっており、この立上り片４の中程には横方向を向いた透孔５があけられている。
【００１６】
一方、６は金属あるいは合成樹脂からなるツマミ板であり、その表面にはレンズの種類、光学的特性、屈折率等が表示出来る様になっており、このツマミ板６の下端には、前記立上り片４より若干厚みが大きい結合ブロック７が一体的に設けられている。
【００１７】
この結合ブロック７には、その下面から上方に向って前記リム線３の立上り片４を挿入出来る縦孔８が形成されていると共に、側面からは、この縦孔８と交叉する様に貫通横孔９があけられており、リム線３の立上り片４を縦孔８に挿入した状態で、貫通横孔９にピン１０を差し込むことにより、レンズ１の周縁に嵌め込まれたリム線３の立上り片４をツマミ板６の結合ブロック７に固定する様になっている。なお、ピン１０の代わりにネジ棒を用い、貫通横孔９の内壁面にネジ棒を螺合させることによって立上り部４を固定する様にしても良い。
【００１８】
この実施例１は、上記の通りの構成を有するものであり、レンズ１をその周縁に設けられている小突起２がリム線３の一対の対向した立上り部４，４の間に挟み込まれる様にしてリム線３をレンズ１の周縁に嵌め込み、この状態で立上り片４，４を結合ブロック７の縦孔８に挿入し、貫通横孔９にピン１０あるいはネジ棒を差し込み、レンズ１とツマミ板６の結合を行う。
【００１９】
従って、ロー付け等の面倒な作業を必要とせず、レンズ１とツマミ板６を結合することができ、組立作業の効率が著しく向上する。又、レンズ１の周縁に形成されている小突起２がリム線３の一対の立上り片４，４に挟まれているので、リム線３内のレンズ１が不用意に回転したり、づれたりすることがなく、正確にその相対位置が保持されるので、遠近両用メガネ用のテストレンズなどにも何ら問題なく適用することができ、広い応用範囲を有する。
【００２０】
次に、図４に基づき、この考案に係る枠付き検眼レンズの実施例２について、説明する。この実施例２は、前記実施例１より更に部品点数の削減及び組立の簡略化を図ったものであり、レンズ１の外周縁を覆うリム線３の両端部は、前記実施例１と同様、対向状態でほぼ直角に屈曲立上がって立上り片４’となっており、この立上り片４’の上端は、それぞれ外側方向に向って直角に屈曲させられ、鉤形の係止部１２が形成されている。
【００２１】
一方、ツマミ板６の下端に設けられている係合ブロック７’の下面からは、上方に向かって前記立上り片４’及び係止部１２を挿入出来る縦孔８’が形成されていると共に、縦孔８’の内壁面には、前記係止部１２を挿入出来る横孔１３が設けられている。
【００２２】
他の部分は、前記実施例１と同じ構成であり、同一符号を付して説明を省略する。
【００２３】
この実施例２においては、リム線３の一対の立上り片４’，４’を指で摘んで押圧しながら係合ブロック７’の縦孔８に挿入し、係止部１２が横孔１３の設けられている位置に達したら、押圧を解除すればリム線３の弾性により、一対の係止部１２，１２は外側方向に離隔しようとし、横孔１３に入り込み、係合ブロック７’に係合することになる。従って、この実施例２においては、ピンやネジ棒を用いることなく、ワンタッチで枠付き検眼レンズの組立を行うことが出来る効果を有する。
【産業上の利用可能性】
【００２４】
視力矯正用メガネの分野において利用可能である。
【符号の説明】
【００２５】
１．レンズ
２．小突起
３．リム線
４．立上り片
５．透孔
６．ツマミ板
７．係合ブロック
８．縦孔
９．貫通横孔
１０．ピン
１１．枠体
１２．係止部
１３．横孔
２０．レンズ
２１．リム線
２２．ネジ受け片
２３．スリット
２４．ツマミ板
【図１】
0003163543.tif 000003
【図２】
0003163543.tif 000004
【図３】
0003163543.tif 000005
【図４】
0003163543.tif 000006